(57)【特許請求の範囲】
【請求項１】
画像が記録された写真フィルムを副走査方向に搬送しながら、これと交差する主走査方向に前記画像を読み取る画像読取装置において、
前記写真フィルムを回転自在に保持する保持手段と、
前記保持手段を副走査方向に搬送する移動手段と、を備え、
前記写真フィルムに照射される光を拡散する光拡散手段の拡散幅が、前記副走査方向に対する前記保持手段の回転角度に応じて変更されることを特徴とする画像読取装置。
【発明の詳細な説明】
【０００１】
【発明の属する技術分野】
本発明は、ＣＣＤ等の読取手段によって写真フィルムの画像情報を読み取る画像読取装置に関する。
【０００２】
【従来の技術】
写真フィルムに記録されている画像をスキャナによって読み取る画像読取装置が従来から使用されている。また、この読み取りによって得られた画像データを用いて記録材料への画像の記録、ディスプレイへの画像の表示等を行う画像処理装置も使用されている。
【０００３】
このような画像処理装置では、画像読取装置で読み取られた画像データをディジタルデータに変換し、画像データの加工を行っている。例えば、読み取られた画像データをディスプレイへ表示させ、オペレーターがその画像を見ながら画像を所定角度回転させ、所望の画像部分を切り取る回転トリミングをディジタル的に行うことができる。
【０００４】
【発明が解決しようとする課題】
しかしながら、上記のように、ディジタル画像データを使用して回転トリミングを行う場合、読み取った画像データの解像度が低いと回転前に直線だった部分がギザギサな線に変換されてしまう（ジャギング）。この対策として、回転トリミングされたディジタル画像データに対して補間等の画像処理を施しているが、画質低下を完全に防ぐことはできない。
【０００５】
本発明は係る事実を考慮して、画質を低下させることなく回転トリミングを実施できる画像読取装置を提供することを課題とする。
【０００６】
【課題を解決するための手段】
請求項１に記載の発明では、画像が記録された写真フィルムを副走査方向に搬送しながら、これと交差する主走査方向に前記画像を読み取る画像読取装置において、前記写真フィルムを回転自在に保持する保持手段と、前記保持手段を副走査方向に搬送する移動手段と、を備え、前記写真フィルムに照射される光を拡散する光拡散手段の拡散幅が、前記副走査方向に対する前記保持手段の回転角度に応じて変更されることを特徴とする。
【０００７】
請求項１に記載の発明では、回転トリミングを行う場合、写真フィルムを保持した保持手段を副走査方向に対する所望の角度まで回転させ、移動手段によって副走査方向に搬送して画像読取を行う。すなわち、副走査方向に対して所定角度、機械的に回転された写真フィルムの画像読取を行うため、ディジタル的に画像データを回転変換させることがない。したがって、ディジタル的な回転変換による画質低下がなく、読み取られた回転トリミング画像データをそのまま使用できるので画質が良好になる。また、保持手段によって写真フィルムが回転されるため、画像読取の走査位置に対する位置決めが正確かつ簡便である。
【０００９】
また、保持手段の回転角度に応じて当該写真フィルムの画像読取対象部分の主走査方向の幅が増減する。この読取対象部分の幅の増減に対応させて光拡散手段の拡散幅を変更させることにより、光が読取対象部分にもれなく照射されるので良好な画像読取が行われる。
【００１０】
【発明の実施の形態】
以下、図面を参照して本発明の実施の形態について詳細に説明する。なお、以下では、まず本実施の形態に係るディジタルラボシステム１０について説明する。
（ディジタルラボシステムの概略構成）
図１には本実施の形態に係るディジタルラボシステム１０の概略構成が示されており、図２にはディジタルラボシステム１０の外観が示されている。図１に示されるように、ディジタルラボシステム１０は、ラインＣＣＤスキャナ１２、画像処理部１６、レーザプリンタ部１８及びプロセッサ部２０を含んで構成されている。また、図２に示されるように、ラインＣＣＤスキャナ１２と画像処理部１６は入力部９６に設けられており、レーザプリンタ部１８とプロセッサ部２０は出力部９８に設けられている。
【００１１】
ラインＣＣＤスキャナ１２は、ネガフィルムやリバーサルフィルム等の写真フィルムに記録されているフィルム画像を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのフィルム画像を読取対象とすることができる。ラインＣＣＤスキャナ１２は、上記の読取対象のフィルム画像をラインＣＣＤで読み取り、画像データを出力する。
【００１２】
画像処理部１６は、入力された画像データに対して各種の補正等の画像処理を行って、記録用画像データとしてレーザプリンタ部１８へ出力する。また、画像処理部１６は、画像処理を行った画像データを画像ファイルとして外部へ出力する（例えば、メモリカード等の記憶媒体に出力したり、通信回線を介して他の情報処理機器へ送信する等）ことも可能である。また、プレスキャン画像データ等をパーソナルコンピュータ１００に出力し、ラインＣＣＤスキャナ１２で読み取られたフィルム画像をディスプレイ１０２に表示したり、印画紙に記録することで得られる画像を推定してディスプレイ１０２に表示し、キーボード１０４を介してオペレーターにより画像の修正等が指示されると、これを画像処理の処理条件に反映させることができる。
【００１３】
レーザプリンタ部１８はＲ、Ｇ、Ｂのレーザ光を照射するレーザ光源を備えており、画像処理部１６から入力された記録用画像データに応じて変調したレーザ光を印画紙に照射して、走査露光によって印画紙に画像を記録する。また、プロセッサ部２０は、レーザプリンタ部１８で走査露光によって画像が記録された印画紙に対し、発色現像、漂白定着、水洗、乾燥の各処理を施す。これにより、印画紙上に画像が形成される。
【００１４】
（ラインＣＣＤスキャナの概略構成）
図３には、本発明に係るフィルムキャリア１４（詳細後述）を含んで構成されるラインＣＣＤスキャナ１２の光学系の概略構成が示されている。この光学系は、メタルハライドランプやハロゲンランプ等から成る光源６４を備えている。光源６４が焦点位置に位置するように、ＩＲ（赤外光）を透過する放物面状のリフレクタ２４が配設されており、光源６４から射出されリフレクタ２４によって反射された光が写真フィルム２２方向に照射される。
【００１５】
光源６４の光射出側には、Ｃ（シアン）、Ｍ（マゼンタ）、Ｙ（イエロー）の調光フィルタ７０Ｃ、７０Ｍ、７０Ｙ及び写真フィルム２２に照射する光を拡散光とする光拡散ボックス６６が光軸Ｌに沿って順に配設されている。調光フィルタ７０Ｃ、７０Ｍ、７０Ｙは、それぞれ独立に移動可能に構成されており、光源６４から射出された各成分色光の光量のバランスやラインＣＣＤ７４の各成分色光に対する感度等を考慮して光路中への挿入量が調整される。これにより、ラインＣＣＤ７４におけるＲ、Ｇ、Ｂの３色の受光量を調整することができる。
【００１６】
写真フィルム２２は、フィルムキャリア１４（図４参照）によってフィルム面が光軸Ｌと垂直になるように搬送される。フィルムキャリア１４には、光源６４から射出された光が透過する写真フィルム２２の搬送方向と直交する方向に延びた開口部５４（図４参照）が形成されている（詳細後述）。
【００１７】
写真フィルム２２を搬送するフィルムキャリア１４を挟んで光源６４と反対側には、光軸Ｌに沿って、写真フィルム２２を透過した光を結像させるレンズユニット７２、及び結像位置に設けられたラインＣＣＤ７４が順に配置されている。
【００１８】
図３では、レンズユニット７２として単一のレンズのみを示しているが、このレンズユニット７２は複数枚のレンズから構成されたズームレンズであってもよい。ラインＣＣＤ７４は、ＣＣＤセルが写真フィルム２２の搬送方向（図３に示される矢印Ａ方向）に直交するようにライン状に配列されて構成されたＣＣＤセル列が３ライン設けられ、各ラインの光入射側にＲ、Ｇ、Ｂの色分解フィルタのいずれかが各々取り付けられた３ラインカラーＣＣＤで構成されている。従って、ＣＣＤセルの配列方向にフィルム読み取りの主走査がなされ、写真フィルム２２がＡ方向に搬送されることによりフィルム画像読み取りの副走査がなされる。なお、ラインＣＣＤ７４は、３本のライン（ＣＣＤセル列）が写真フィルム２２の搬送方向に沿って所定の間隔を隔てて順に配置されているので、同一の画素におけるＲ、Ｇ、Ｂの各成分色の検出タイミングには時間差がある。しかし、本実施の形態では、各成分色毎に異なる遅延時間で測光信号の出力タイミングの遅延を行うことにより、同一の画素のＲ、Ｇ、Ｂの測光信号がラインＣＣＤ７４から同時に出力されるように構成されている。
【００１９】
また、ラインＣＣＤ７４によって読み取られたフィルム画像のデータに基づき、フィルム画像のコントラストが最大となるようにレンズユニット７２の結像点位置を移動させる合焦制御を行う。これにより、レンズユニット７２の結像点位置がラインＣＣＤ７４の受光面に一致される。
（フィルムキャリアの構成）
フィルムキャリア１４は、図４に示すように、基本的にベース４０、移動台４２、回転テーブル４４から構成されている。
【００２０】
ベース４０は、直方体形状に形成され、その長手方向両側面に溝４６が形成され、それぞれの溝４６にはモーター４８によって回転するボールねじ５０が長手方向に配設されている。双方のボールねじ５０に螺合するネジ部を備えたアーム５２が２個設けられている。このアーム５２の間に移動台４２が螺子で固着されている。したがって、モーター４８の駆動により移動台４２がベース４０の長手方向（矢印Ａ方向、以下Ａ方向という）に移動する。
【００２１】
なお、ベース４０には、光源６４からの光を通過させる短手方向（矢印Ｂ方向、以下Ｂ方向という）に延びるスリット状の開口部５４が穿設されている。
【００２２】
移動台４２の中央部分には円形の開口部５８が開口されている。開口部５８の内周壁には周回する段部５６が設けられている。開口部５８の内周縁部には減速ギア６０の一端が露呈している。減速ギア６０は、モーター６２の回転軸先端に設けられたウォームギア６８と噛合している。
【００２３】
回転テーブル４４は、外周面に段部５７を有する円形の台であり、その段部５７の下部にギア７６が形成されている。回転テーブル４４が移動台４２の開口部５８に嵌合され、段部５７が段部５６に回転自在に支持された状態で、ギア７６が減速ギア６０と噛合する。回転テーブル４４の上面には、直径方向に溝７８が形成されており、その中央部分には図示しない透過口が形成されている。この透過口にはガラス板８０が嵌め込まれてあり、開口部５４を通過した拡散光が透過するようになっている。ガラス板８０の裏面外縁部には、写真フィルム２２の画像記録範囲外の部分を減光するマスク８２が蒸着されている。さらに、このガラス板８０の溝７８（溝の深さは写真フィルム２２の厚さよりも小さい）に写真フィルム２２を圧着させる透明なガラスからなる圧着板８４が備えられている。
【００２４】
このような構成により、図５に示されるように、回転テーブル４４上に設置される写真フィルム２２は、キャリア１４においてＡ方向、Ｂ方向に変位自在に保持されていることになる。
【００２５】
なお、本実施形態の写真フィルム２２は１３５サイズのピースネガであり、回転トリミング対象となる１コマ分だけを図示し、他の部分を省略している。
【００２６】
このように構成されるキャリア１４を用いた本発明の作用について説明する。画像読み取りに先立って、キャリア１４の回転テーブル４４の溝７８に写真フィルム２２を設置し、圧着板８４によって固定する。このキャリア１４を光源６４とラインＣＣＤ７４の間の所定の位置に位置決めして固定する。
【００２７】
本実施形態では個々のフィルム画像に対し、ラインＣＣＤスキャナ１４において異なる解像度で２回の読み取りを行う。１回目の比較的低解像度での読み取り（以下、プレスキャンという）では、図５に示すように、回転テーブル４４に設置された写真フィルム２２の長手方向をＡ方向（副走査方向）と一致させた状態で、移動台４２をＡ方向に移動させる。すなわち、ベース４０のモーター４８を駆動させてボールねじ５０を回転させることにより、アーム５２に固着された移動台４２をＡ方向に移動させる。
【００２８】
これにより、回転テーブル４４がベース４０に設けられたスリット状の開口部５４の上部を移動することになる。したがって、光源６４から照射され、光拡散ボックス６６で拡散された光が開口部５４、ガラス板８０を介して写真フィルム２２に照射され、この透過光がラインＣＣＤ７４に入射する。これにより、写真フィルム２２の画像情報（プレスキャン画像データ）が読み取られ、読取条件が設定される。例えば、フィルム画像の濃度が極端に低い場合（例えばネガフィルムにおける露光オーバーのネガ画像）にも、ラインＣＣＤ７４で蓄積電荷の飽和が生じないように決定した読取条件（写真フィルムに照射する光のＲ、Ｇ、Ｂの各波長域毎の光量、ＣＣＤの電荷蓄積時間）でフィルム画像の読取条件が設定される。
【００２９】
これと同時に、画像処理部１６では読み込まれた画像をパーソナルコンピュータ１００のディスプレイ１０２に表示する。オペレーターは、表示された画像を見ながら、ディスプレイ１０２上でキーボード１０４やマウス（図示せず）を使用して画像の切取り部分（トリミング領域）を設定する。これに伴い、画像処理部１６ではこの回転移動の回転角度θ１（図７参照）を求め、回転テーブル４４の回転角度を算出しておく。
【００３０】
この状態でプレスキャンによって設定された読取条件に基づいて、ラインＣＣＤスキャナ１４による２回目の比較的高解像度での読み取り（以下、ファインスキャンという）を行う。
【００３１】
設定された回転角度に基づいてモータ６２が駆動され、ウォームギア６８、減速ギア６０、ギア７６を介して回転テーブル４４がＢ方向に角度θ１分だけ回転される（図６参照）。すなわち、図７に示すように、これにより、写真フィルム２２が副走査方向（Ａ方向）と所定角度θ１だけ偏位された状態に正確に位置決めされる。
【００３２】
この状態でモーター４８が駆動され、移動台４２が回転テーブル４４とともにＡ方向に移動される。これにより、写真フィルム２２がＡ方向に角度θ１だけ偏位した状態で画像の読み取りが行われる。すなわち、回転トリミングによって切り取ろうとした画像データ部分１１０（二点鎖線部参照）が読み取られる。この際、前記画像データ部分１１０は、その長手方向がＡ（副走査）方向と一致しているため、画像処理部１６で読取画像データをディジタル的に回転処理する必要がなくなる。したがって、通常の画像と比較してジャギング等による画質低下のない良好な回転トリミング画像データが得られる。
【００３３】
また、回転テーブル４４を移動台４２上で回転させることにより写真フィルム２２を回転移動させるため、走査位置に対する正確な位置に、簡便に位置決めできる。
【００３４】
ところで、写真フィルム２２の回転角度が９０度近くなると、光拡散ボックス６６のＢ（主走査）方向の幅が不足するため、ほぼ倍の幅を有する光拡散ボックス６６Ａに交換する（図３参照）。この場合、回転角度の設定量が所定の角度θ２、例えば４５度を超えると自動的に光拡散ボックス６６Ａに交換されるように設定されている。ここでは、光拡散ボックスが２個の例について説明したが、多数の光ボックスを用意して交換するように構成しても良い。
【００３５】
なお、ここでは、回転トリミング用のキャリア１４についてのみ説明したが、キャリアに交換することにより写真フィルムの通常の画像読取も行うことができる。
【００３６】
また、ここでは、ラインＣＣＤスキャナの場合について説明したが、エリアＣＣＤスキャナの場合も略同様な構成で実施できる。
【００３７】
【発明の効果】
請求項１記載の本発明は上記構成としたので、写真フィルムの回転移動させる場合に、保持手段によって回転されるため、走査位置に対する位置決めが正確かつ簡便である。しかも、機械的に回転された写真フィルムの画像データを読み取るため、ディジタル的に画像データを回転変換させる必要がなくなる。したがって、回転トリミングされた画像データの画質が良好になる。
【００３８】
また、写真フィルムの副走査方向に対する回転移動により写真フィルムの読取対象部分の幅が増減するが、これに対応させて主走査方向の幅が異なる複数の光拡散手段の交換を行うことができる。したがって、良好な画像読取が行われる。
【図面の簡単な説明】
【図１】本実施形態に係るディジタルラボシステムの概略構成図である。
【図２】本実施形態に係るディジタルラボシステムの外観図である。
【図３】本実施形態に係るラインＣＣＤスキャナの光学系を示す概略斜視図である。
【図４】本実施形態に係るフィルムキャリアの内部構成を示す分解斜視図である。
【図５】本実施形態に係るフィルムキャリアのプレスキャン状態を示す平面図である。
【図６】本実施形態に係るフィルムキャリアのファインスキャン状態を示す平面図である。
【図７】本実施形態に係る画像の回転トリミング状態を示す平面図である。
【符号の説明】
１０      ディジタルラボシステム
１２      ラインＣＣＤスキャナ
１４      フィルムキャリア
２２      写真フィルム
４２      移動台（移動手段）
４４      回転テーブル（保持手段）
【図１】
0003670458.tif 000002
【図２】
0003670458.tif 000003
【図３】
0003670458.tif 000004
【図４】
0003670458.tif 000005
【図５】
0003670458.tif 000006
【図６】
0003670458.tif 000007
【図７】
0003670458.tif 000008